(57)【要約】  ７０℃〜９０℃の湯３００〜３５０ｍｌに、５５ｇ〜６５ｇのリン酸水素二アンモニウムを投入して溶解し、ここに、６ｇ〜８ｇの硫酸アンモニウムを投入して溶解し、更に、１７０ｇ〜１９０ｇの炭酸カリウムを投入して溶解し、次に、水成膜泡消火薬剤の原液２５〜３５ｍｌを加えて溶解して全体量を６００ｍｌとして消火剤を製造し、この消火剤を投てき型消火用具に用いるときは、製造された全体量が６００ｍｌの消火剤に容器を加えた総重量を７００ｇ〜８００ｇとするようにした消火器用及び消火用具用の消火剤の製造方法。
2011158340.tif 000002
【特許請求の範囲】
【請求項１】
消火器及び消火用具に入れる消火剤の製造方法であって、
７０℃〜９０℃の湯３００〜３５０ｍｌに、５５〜６５ｇのリン酸水素二アンモニウムを投入して溶解する工程と、
６〜８ｇの硫酸アンモニウムを投入して溶解する工程と、
１７０〜１９０ｇの炭酸カリウムを投入して溶解する工程と、
水成膜泡消火剤の原液を２５〜３５ｍｌ加えて溶解する工程と、を有し、全体量を６００ｍｌとする消火剤の製造方法。
【請求項２】
請求項１の製造方法で製造した消火剤を容器に封入し、総重量を７００ｇ〜８００ｇとした投てき型消火用具。
【請求項３】
請求項２において、
発泡剤が封入されている発泡剤室と、
前記発泡剤室を破壊して、前記発泡剤室に封入された発泡剤を前記容器の内部に投入して発泡を生じさせるための発泡剤室破壊部材と、を設けてなり、
前記容器が、前記容器内部での発泡により自動破壊可能である
ことを特徴とする投てき型消火用具。
【発明の詳細な説明】
【技術分野】
【０００１】
この発明は、投てき型消火用具に用いて好適な消火剤の製造方法、及び、この製造方法によって製造した消火剤を用いた投てき型消火用具に関する。
【背景技術】
【０００２】
消火剤成分は、様々な組成物により構成されていて、例えば、特許文献１の発明では、尿素、塩化ナトリウム、無水炭酸ソーダ、硫酸アンモニウムなどが用いられている。【０００３】
しかしながら、上記様々な組成物により構成された消火剤成分は開示されるものの、その製造方法は、ノウハウとして公表されていないのが通常である。【０００４】
又、特許文献２には、塩化ナトリウム、リン酸水素二アンモニウム、重炭酸アンモニウムを溶解してなる消火剤が開示されている。【０００５】
一方、初期消火用として適量の消火剤を充填し、投げ易い形状及び重さとした衝撃破損性の容器を用いた投てき型消火用具が、例えば特許文献３などに開示されている。【０００６】
上記消火剤は、火災の熱により、炭酸ガスやアンモニアガスが排出されて、これによって消火を行うものであるが、厨房等の気温が高くなる環境で、炭酸ガスやアンモニアガスが発生し、消火器や樹脂製容器内での内圧が上昇するので、樹脂製容器等は前記内圧の上昇に耐える強度が必要となる。【０００７】
他方、投てき型の消火用具では、火災時に火元へ投げつけることによって容器を破壊して消火剤を拡散させなければならないが、上記のように高温時の内圧上昇に耐えるために容器の強度を増大すると、火災時に火元に投げても容器が破壊されにくくなったり、特に、火元がソファや衣類などの柔軟な材料であると更に破壊されにくくなってしまうという問題点がある。【０００８】
また、投てき型消火用具は、火元に近い位置からの投てきが必要であるにも関わらず、火炎に接近すると危険な場合は、遠くから投げつけなければならない。ところが従来の投てき型消火用具は、約１ｋｇの重量があるので、通常の体力の人が遠くから投げつけても火元に到達せず、充分な消火効果が得られないことがあった。
【先行技術文献】
【特許文献】
【０００９】
【特許文献１】特開２００１−３７９０１５号公報
【特許文献２】特許第４４３７０５３号公報
【特許文献３】特許第３０８１５３１号公報
【発明の概要】
【００１０】
この発明は、非使用時で、高温度雰囲気においても炭酸ガスやアンモニアガスが発生しない消火剤の製造方法を提供することを目的とする。
【００１１】
又、上記消火剤を用いた消火用具であって、消火時に、確実に容器を破壊して消火剤を拡散させることができる投てき型消火用具を提供することを目的とする。
【００１２】
本発明は、消火器及び消火用具に入れる消火剤の製造方法であって、７０℃〜９０℃の湯３００〜３５０ｍｌに、５５〜６５ｇのリン酸水素二アンモニウムを投入して溶解する工程と、６〜８ｇの硫酸アンモニウムを投入して溶解する工程と、１７０〜１９０ｇの炭酸カリウムを投入して溶解する工程と、２５〜３５ｍｌの水成膜泡消火剤の原液を加える工程と、を有し、全体量を６００ｍｌとする消火剤の製造方法によって上記目的を達成するものである。
【００１３】
又、上記製造方法で製造した消火剤を容器に封入し、総重量を７００ｇ〜８００ｇとした投てき型消火用具により上記目的を達成するものである。
【図面の簡単な説明】
【００１４】
【図１】本発明の製造方法の実施例を示すフローチャートである。
【図２】本発明の投てき型消火用具の実施例を示す断面図である。
【図３】使用時における上記実施例の投てき型消火用具を示す断面図である。
【発明を実施するための形態】
【００１５】
図１のフローチャートを参照して、本発明の実施例に係る消火剤の製造方法について説明する。
【００１６】
この実施例では、消火剤の全体量が６００ｍｌとなるようにする。
【００１７】
まず、ステップ１０１において、７０℃〜９０℃の湯を３００〜３５０ｍｌ用意する。
【００１８】
次にステップ１０２において、上記湯に、５５〜６５ｇのリン酸水素二アンモニウムを投入して溶解する。
【００１９】
次に、ステップ１０３において、６〜８ｇの硫酸アンモニウムを投入して溶解する。
【００２０】
次のステップ１０４では、１７０〜１９０ｇの炭酸カリウムを投入して溶解し、消火剤を完成させる。
【００２１】
ステップ１０５では、水成膜泡消火剤の原液（例えば３％希釈用）を２５〜３５ｍｌ加えて溶解する。
【００２２】
ここで、水成膜泡消火剤は、従来公知の水成膜形成用の界面活性剤からなるものであり、具体的には、耐熱性が高いフッ素系の界面活性剤をマイナー成分として添加したものがよい。例えば、ヤマトプロテック（株）製の商品名「アルファフォーム」がある。
【００２３】
上記リン酸水素二アンモニウムと硫酸アンモニウムと炭酸カリウムは、消火の際、火災の熱に反応して炭酸ガスとアンモニアガスに分解される。
【００２４】
炭酸ガスは燃焼物表面へ空気中の酸素が供給されるのを阻害し、アンモニアガスは冷却効果で燃焼物の表面温度を降下させるとともに、アルカリ性の性状を持つので、燃焼物の酸化を中和して消火することができる。
【００２５】
又、硫酸アンモニウムは木材等の発火点を上げる性質を有するので、消火後の再着火を防止することができる。
【００２６】
上記実施例において、リン酸水素二アンモニウム、硫酸アンモニウム及び炭酸カリウムは、７０℃〜９０℃の湯に溶解されるので、この湯の熱によって一部が炭酸ガスとアンモニアガスに分解されて放出されてしまう。
【００２７】
この消火剤は、家庭や工場、飲食店などにおいて、７０℃〜９０℃の雰囲気にさらされても、炭酸ガスとアンモニアガスは発生しないので、衝撃で破壊し易い樹脂容器に充填しても、周囲温度の影響を受けて内圧が上昇することが抑制される。このため、容器耐圧性能を抑えて軽量化を図ることができる。
【００２８】
又、消火の際、火災の熱により、消火剤が９０℃を超えたとき、７０℃〜９０℃の湯の温度によって炭酸ガスとアンモニアガスに分解されなかった成分が分解され、上記のような消火効果を得ることができる。
【００２９】
なお、上記実施例において、「７０℃〜９０℃の湯」にしたのは、この実施例に係る消火剤を充填した消火器や消火用具を、例えば業務用の厨房に置いた場合における最高の雰囲気温度を考慮したものである。
【００３０】
又、消火剤の全体量を６００ｍｌとしたのは、衝撃で破壊する樹脂容器に充填した場合に、容器の重量を含んで７００ｇ〜８００ｇとすれば、遠投も可能な重量とすることができ、火炎から遠い安全な距離からも投てきができるからである。
【００３１】
上記実施例の製造方法によって製造した消火剤６００ｍｌを、衝撃で破壊する樹脂容器に充填し、消防法で定められた木製消火模型を使用して消火実験を行ったところ、２４ｌの水で消火できる消火模型を、３本の樹脂容器の投てきによって完全に消火することができた。即ち、この実施例に係る消火剤は、水の約１３倍の消火効果を得ることが確認された。
【００３２】
又、この実施例の製造方法によって製造した消火剤を、衝撃で破壊する樹脂容器に充填し、縦横３００ｍｍ×６００ｍｍのオイルパンにガソリン１０００ｍｌを入れて点火してから１分後に２本の樹脂容器を投てきしたところ、完全に消火することができた。
【００３３】
次に、図２、図３を参照して、上記製造方法により製造した消火剤を用いた投てき型消火用具の実施例について説明する。
【００３４】
この投てき型消火用具１０は、図２に示されるように、上記製造方法により製造した消火剤６００ｍｌが内部に封入されている容器１２と、この容器１２の上端開口部に装着され、発泡剤Ｆが封入されている発泡剤室１４と、発泡剤室１４を破壊して、発泡剤室１４に封入された発泡剤Ｆを前記容器１２の内部に投入して発泡を生じさせるための発泡剤開放部材１６と、を備えて構成されている。
【００３５】
投てき型消火用具１０は、消火剤、発泡剤Ｆ及び容器の重量を含んで７００ｇ〜８００ｇとされている。発泡剤室１４は、円筒形状とされ、この発泡剤室１４内に、発泡剤開放部材１６が軸線方向摺動自在に設けられている。
【００３６】
さらに詳細には、発泡剤開放部材１６は、ピストン形状の押出し部１７と、この押出し部１７の中心を通って発泡剤室１４の中心軸線上に延在して一体的に設けられた軸部１８とを備えて構成されている。
【００３７】
軸部１８の先端部１８Ａは、図２において下向きに円錐形状に尖って形成され、発泡剤室１４の底壁１４Ａに接触して配置され、且つ、軸部１８の先端部１８Ａと反対側の基端１８Ｂは、発泡剤室１４の蓋部１４Ｂを貫通して上方に突出されている。基端部１８の上端には、プッシュボタン状の押圧部１９が設けられている。
【００３８】
軸部１８の、蓋部１４Ｂからの突出部分（基端部１８Ｂ）及び押圧部１９は、蓋部１４Ｂの外周に嵌合されるキャップ２０によって覆われるようになっている。
【００３９】
発泡剤室１４の外周における上半部には外周と同軸平行な嵌合部材１４Ｃが設けられ、発泡剤室１４の外周との間に円環状嵌合溝１４Ｄが形成されている。
【００４０】
発泡剤室１４は、容器１２の上端開口部を形成する円筒状の受け口１２Ａに、前記円環状嵌合溝１４Ｄが嵌合するように、容器１２の上端から挿入係合して固定する。
【００４１】
定常状態では、図２に示されるように、押圧部１９が発泡剤室１４の蓋部１４Ｂから上方に離間した状態とされていて、火災発生の使用時には、キャップ２０を取外し、露出した押圧部１９を操作者が指で押し下げる。
【００４２】
これにより、発泡剤開放部材１６は全体が容器１２中心方向に押し下げられ、図３に示されるように、軸部１８の先端部１８Ａによって、発泡剤室１４の底壁１４Ａが破壊され、同時に、発泡剤室１４内の発泡剤Ｆが押出し部１７により押し下げられて、容器１２内に投入される。
【００４３】
発泡剤Ｆの投入によって、容器１２内で発泡が生じ、内圧が増大し、この状態で火元に向かって投てきすると、衝撃により破壊され、また、衝撃により破壊されなくても容器１２が自動破壊されて、消火剤が飛散され、消火作業が行なわれることになる。
【００４４】
投てき型消火用具１０は、消火剤及び発泡剤以外はポリ塩化ビニル（ＰＶＣ）製で、全重量が７００〜８００ｇとされていて、従来の１ｋｇよりも軽いので、従来よりは、火元から離れた位置から投てきしても火元に到達させることができる。
【００４５】
なお、上記投てき型消火用具１０は、平常時に、キャップ２０によって発泡剤開放部材１６が作動しないようにされているが、本発明はこれに限定されるものでなく、例えば、発泡剤開放部材１６の軸部１８を貫通するピン（図示省略）を設け、消火時にはこのピンを引抜くことによって、発泡剤開放部材１６が発泡剤室１４内の発泡剤Ｆを開放するようにしてもよい。
【００４６】
この実施例に係る投てき型消火用具１０においては、消火剤が７０℃から９０℃の湯を用いて製造され、９０℃を超える火炎などの雰囲気によって初めて炭酸ガスとアンモニアガスが発生するようにされていて内圧が高くなく、投てき時に衝撃が小さくて破壊されない場合でも、自動的に容器１２が破壊され、確実に消火作業を行なうことができる。
【００４７】
また、火元が柔らかい衣類などであっても、容器１２を自動破壊して、消火剤を発散させることができる。又、この実施例に係る消火剤は、リン酸水素二アンモニウム、硫酸アンモニウム、炭酸カリウムから構成されているので、消火の際人体に無害であり、また、消火後の残渣も肥料と同一成分であるので、これを庭や畑などに散布することによって簡単に処理をすることができる。また、水成膜泡消火剤により、油火災にも対応することができる。
【産業上の利用可能性】
【００４８】
この発明に係る方法によって製造された消火剤は、消火器や樹脂などの割れ易い容器に充填して火元に投げて消火する投てき型消火用具に用いられる。
【符号の説明】
【００４９】
１０…投てき型消火用具
１２…容器
１２Ａ…受け口
１４…発泡剤室
１４Ａ…底壁
１４Ｂ…蓋部
１４Ｃ…嵌合部材
１４Ｄ…円環状嵌合溝
１６…発泡剤開放部材
１７…押出し部
１８…軸部
１８Ａ…先端部
１８Ｂ…基端部
１９…押圧部
２０…キャップ
Ｆ…発泡剤
【図１】
2011158340.tif 000003
【図２】
2011158340.tif 000004
【図３】
2011158340.tif 000005
【国際調査報告】
2011158340.tif 000006
2011158340.tif 000007
2011158340.tif 000008
2011158340.tif 000009